(57)【要約】
　【課題】季節の変わり目などに、被洗濯物の洗濯を洗濯業者に依頼することを忘れることがあった。
　【解決手段】被洗濯物収集袋１００は、被洗濯物を収容し得る空間を有してなり、少なくとも一方の外面３に、洗濯業者に関する業者情報を表示する業者情報表示領域４と、洗濯業務に関する業務情報を表示する業務情報表示領域５とを少なくとも備え、業者情報表示領域４及び業務情報表示領域５以外の領域のほぼ全域に模様となり得るように文字を羅列する背景領域７を設けている。
【選択図】図１
0003099223.tif 000002
【実用新案登録請求の範囲】
【請求項１】
被洗濯物を収容し得る空間を有してなり、少なくとも一方の外面に、洗濯業者に関する業者情報を表示する業者情報表示領域と、洗濯業務に関する業務情報を表示する業務情報表示領域とを少なくとも備え、業者情報表示領域及び業務情報表示領域以外の領域のほぼ全域に模様となり得るように文字を羅列する背景領域を設けてなることを特徴とする被洗濯物収集袋。
【請求項２】
背景領域には被洗濯物を思い起こさせる文言が表示されることを特徴とする請求項１記載の被洗濯物収集袋。
【請求項３】
背景領域が、外面のほぼ半分の面積を占有することを特徴とする請求項１又は２記載の被洗濯物収集袋。
【請求項４】
背景領域が、外面の上縁近傍から下縁方向に向けて形成されるものであることを特徴とする請求項１、２又は３記載の被洗濯物収集袋。
【請求項５】
業者情報表示領域が、外面の下縁近傍に形成されるものであることを特徴とする請求項１、２、３又は４記載の被洗濯物収集袋。
【請求項６】
業務情報表示領域には認識容易な大きさの文字により業務情報が表示されることを特徴とする請求項１、２、３、４又は５記載の被洗濯物収集袋。
【請求項７】
被洗濯物を想像させる絵を表示する装飾領域をさらに備えることを特徴とする請求項１、２、３、４、５又は６記載の被洗濯物収集袋。
【考案の詳細な説明】
【技術分野】
【０００１】
　本考案は、洗濯業者に洗濯を依頼する被洗濯物を収納する収集袋に関するものである。
【背景技術】
【０００２】
　従来、販売する商品を入れる包装用の容器例えば袋において、その表面には、商品を示す図柄、商品名、製造者名、販売者名などを表示するととものに、その裏表面には、包装する商品とは無関係な他の商品を宣伝する文字、図形、絵柄などを表示して、包装用の袋を広告宣伝媒体としたものが知られている（例えば特許文献１）。
【０００３】
　このように、包装用の袋に広告のための表示を印刷することは、洗濯物を納品する際に使用される洗濯物収容袋に適用されるものも知られている（例えば特許文献２）。
【特許文献１】特開平１０−２６８８１７号公報
【特許文献２】特開２００２−５２２９９号公報
【考案の開示】
【考案が解決しようとする課題】
【０００４】
　しかしながら、上記特許文献１のもののように、商品の包装用の袋に、商品に関する情報を表示するものは知られているものの、特許文献２のもののように、洗濯物の場合には包装する洗濯物が多種にわたるので、包装する洗濯物に関する情報を印刷して表示することはできない。
【０００５】
　一般的には、衣服や布製品などの被洗濯物を洗濯業者に持参する際には、例えばゴミ袋や紙製の手提げ袋などを使用することが多々ある。このようにして被洗濯物をゴミ袋などに入れておくと、その中身が被洗濯物と気付かない場合が生じることもあり、被洗濯物を洗濯に出す機会を逃してしまう可能性があった。また、普段、被洗濯物を洗濯業者に持参したことがない家人が被洗濯物を洗濯に出そうとすると、洗濯業者がわからないことも生じ、不便を感じることがあった。
【０００６】
　そこで本考案は、上記の不具合を解消することを目的とするものである。
【課題を解決するための手段】
【０００７】
　すなわち、本考案の被洗濯物収集袋は、被洗濯物を収容し得る空間を有してなり、少なくとも一方の外面に、洗濯業者に関する業者情報を表示する業者情報表示領域と、洗濯業務に関する業務情報を表示する業務情報表示領域とを少なくとも備え、業者情報表示領域及び業務情報表示領域以外の領域のほぼ全域に模様となり得るように文字を羅列する背景領域を設けてなることを特徴とする。
【０００８】
　本考案における業者情報とは、洗濯業者の、名称、住所、電話番号などで構成されるものである。また、業者情報としては、前記したもののほかに、その洗濯業者のグループ企業や系列企業、業務提携をしている企業などの名称、住所、電話番号などを含むものであってよい。さらには、業者情報として、洗濯業者、グループ企業、系列企業などのロゴを含むものであってよい。
【０００９】
　同様に、業務情報とは、業者情報表示領域に表示された業者が行っている業務内容に関する情報、例えば染み抜きなどの特殊な洗濯に関する情報や、割引に関する情報などで構成されるものである。
【００１０】
　このような構成によれば、被洗濯物がある場合に、この被洗濯物収集袋に入れておけば、その中に入れてあるものが被洗濯物であることが容易の判別し得るものである。そして、業者情報表示領域及び業務情報表示領域を確認することで、適切に被洗濯物の洗濯を洗濯業者に依頼することが可能になる。しかも、背景領域に文字を羅列することにより、業者情報領域及び業務情報領域に表示しなかった例えば洗濯に関する種々の情報を表示することが可能になる。
【００１１】
　上記の構成において、洗濯の受注を促進するためには、背景領域には被洗濯物を思い起こさせる文言が表示されるものが好ましい。このように、背景領域にある被洗濯物を思い起こさせる文言を利用者が読むことにより、洗濯を依頼する被洗濯物を思いだし、一度に受注する量を増すことが可能になる。
【００１２】
　このような背景領域としては、外面のほぼ半分の面積を占有するものが好ましい。このような面積とすることにより装飾的な効果とともに、その領域内に収容できる文字数を多くすることができるので、洗濯の受注をより促進することが可能になる。このような背景領域は、外面の上縁近傍から下縁方向に向けて形成されるものが好ましい。
【００１３】
　このような背景領域に対して、業者情報表示領域としては、外面の下縁近傍に形成されるものが好適である。また、業務情報を把握しやすくするためには、業務情報表示領域には認識容易な大きさの文字により業務情報が表示されるものが望ましい。加えて、利用者に親近感を喚起させるためには、被洗濯物を想像させる絵を表示する装飾領域をさらに備えるものが好ましい。なお、被洗濯物を想像させる絵とは、写真、イラストレーション、漫画などであってよい。
【考案の効果】
【００１４】
　本考案によれば、上述したように、外面に、業者情報表示領域と業務情報表示領域と背景領域とを備えているので、被洗濯物の収集を容易にするとともに、洗濯業者への洗濯の依頼を増加させることができる、と言う効果を奏する。
【考案を実施するための最良の形態】
【００１５】
　以下、本考案の一実施形態を、図１を参照して説明する。
【００１６】
　被洗濯物収集袋１００は、例えば可撓性を有するポリエチレン製で、平面形状でほぼ正方形をしており、上縁部分のみが開放されて、被洗濯物を収容し得る空間を有してなる構造である。この被洗濯物収集袋１００は、その上縁１近傍に、運搬などの際に手をかける長円形状の手提げ開口２が形成してある。そして、一方の外面３の手提げ開口２より下側のほぼ全域を使用して、業者情報表示領域４と業務情報表示領域５と装飾領域６と背景領域７とが形成してある。
【００１７】
　業者情報表示領域４は、外面３における下縁８近傍位置に、外面３の幅のほぼ全幅にわたって形成してある。この実施の形態における業者情報表示領域４には、例えばその向かって左側から、取り扱い洗濯業者のロゴや商標を印刷して表示するとともに、それらの洗濯業者の名称、住所、電話番号を印刷して表示するものである。この業者情報表示領域４は、初めてこの被洗濯物収集袋１００を使用するものにとっては、洗濯業者を確認する上で重要な表示であり、また洗濯業者にとっては利用者に自らの名称などを覚えてもらうための表示であるので、目立ちやすくすることが不可欠である。そのために、この業者情報表示領域４は、例えばその外郭を示すように、実線あるいはそれ以外に目に付きやすい波線や二重線などを使用して囲むものであってよい。
【００１８】
　このような業者情報表示領域４の上側つまり手提げ開口２に近づく側の領域において、業務情報表示領域５と装飾領域６とが形成してある。業務情報表示領域５は、業者情報表示領域４に表示された業者が行っている業務内容に関する情報を表示する領域である。この業務情報表示領域５には、例えば「有効期限年月日　クリーニング全品３０％ＯＦＦ袋」と言った割引に関する情報を、その利用方法とともに印刷して表示する。利用方法の注意書きとしては、例えば「洗濯物を、この袋に入れて当店へお持ちください。すべて３０％ＯＦＦでクリーニングいたします。期間中は何度でもご利用いただけます。だだし他のセール、割引との併用はいたしかねます。さぁ、どれだけ入るかはあなた次第です。」と言った文章である。この実施の形態では、この業務情報表示領域５を外面３の向かって左下部分に設定するものである。この業者情報表示領域５において、割引率を示す数値は他の文字に比較して一段と大きな文字を使用し、外面３を一瞥しただけで業者情報を把握することができるように設定してある。
【００１９】
　装飾領域６は、外面３全体が面白味のない図案とならないように、洗濯に関するイラストレーションあるいは漫画などの絵を表示するものである。このような装飾領域６を形成しておくことにより、被洗濯物収集袋１００に対して親近感を喚起させるものとなり、取っつきやすいものにすることができ、しかも洗濯業者のイメージを認識させやすくすることができるものである。
【００２０】
　以上に説明した業者情報表示領域４、業務情報表示領域５及び装飾領域６は、外面３に対して見やすい比率で配置されるものであるが、これらの領域はそのバランスを考慮することから、外面３の全体を占有するものではない。それゆえ、外面３のほぼ半分程度の面積はこれらの領域に含まれずに残った状態であり、その部分つまり外面３のほぼ半分の面積を占有する領域を背景領域７とするものである。この背景領域７は、外面３の業者情報表示領域４、業務情報表示領域５及び装飾領域６以外の領域に設定されるものである。具体的には、背景領域７は、外面３の上縁１近傍から下縁８方向に向けて形成されるもので、例えば業務情報表示領域５と装飾領域６との間に隙間が形成される場合には、その隙間部分についても含むものである。このような背景領域７には、他の領域に印刷される文字より小さな文字により、例えば被洗濯物を思い起こさせる文章が縦書きにて印刷して表示してある。具体的な文章の例としては、以下のようなものである。
【００２１】
　「入れたくな〜る入れたくなくな〜る、詰めたくな〜る詰めたくな〜る、もっと詰めたくな〜るさらに詰めたくな〜る、あれもこれも入れたくな〜る、何回も入れたくな〜る、とことん入れたくな〜るなんでも入れたくな〜る、それでも入れたくな〜る、めちゃ入れたくな〜る、入れたくな〜る、本気で入れたくな〜る、ふと入れたくな〜る、突然入れたくな〜る詰めたくな〜る、まだまだ詰めたくな〜る、気の向くまま入れたくな〜る詰めたくな〜る、ところが入れたくな〜る、極端に入れたくな〜る、究極に入れたくな〜る、ビチビチに詰めたくな〜る。なにがなんでも入れたくな〜る、例えば背広が入れたくな〜る、ワイシャツが入れたくな〜る、セーターが入れたくな〜る、スカートが入れたくな〜る、カーディガンが入れたくな〜る、フリースだって入れたくな〜る、ワンピースが入れたくな〜る、ネクタイも入れたく・・・！あれ？ネクタイなら、ネクタイなら何本入るんだろう？百本は確実に入りそうかな？どうかな？入れ方次第かな〜。あんまり入れられるとうれしいような、そうでないような・・・いやでもやっぱりうれしいな。わざわざお店に足を運んでくれるしな。逆に布団は入るのかな？毛布ならいけそうだけどどうかな。これも入れ方次第かな。はみ出しててもいいのかな。たぶん社長なら許してくれるだろうな。むしろそんなお客さんがいっぱい来たら喜ぶだろうな。「こんなにたくさん詰めましたコンテスト」なんてどうかな。いろんな詰め方があるんだろうな。たたんだり丸めたり、圧縮パックで圧縮したりして・・・。番外編で「こんなもの入れちゃいましたコンテスト」というのはどうかな？どんなのがくるのかな？とんでもないものとか入ってるのかな？でもあくまでクリーニングだしな〜。お茶碗とかそういうのは、洗えるけど意味が違うもんな〜。えーちゃんの直筆サイン入りバスタオルとかそんなかんじかな。それぞれのチャンピオンに賞品として「特大30％ＯＦＦ袋プレゼント！」なんてどうかな。人が入れるくらいの大きさがいいな。大きすぎても持ってくるのが大変だろうな〜。サンタクロースみたいで目立ってしまうし、ちょっと不審者っぽいかもな。そう考えるとこの袋のサイズって絶妙なのかな〜。期間中なら何回でも使えるのもいいな〜。クルマに山盛り洗濯物を積んできて、店頭で何回往復してもいいわけだしな。あ、ちょっとしたウラワザ教えちゃったかな〜。まぁこの長い文章を読んでくれてるわけだし、このくらいはいいや。でも大きなトラックとかに積んできたりして・・・。もしそんなお客さんがいたらどうするんだろうな。個人でそんなお客さんはいるわけないけど、いたら客観的にはおもしろいな。それにしても全品30％ＯＦＦだもんな〜。すごいよなぁ。デフレの時代だもんな〜。あれこれ入れてみたくなるかな〜。期間限定だから忘れないうちに使って欲しいなぁ〜。何度でも使えるから、とりあえず周りにある洗濯物からクリーニングしてみたらどうかな〜。シーツとかでも良いし。探せば結構あるもんな〜。いっぱい入れて、たくさん来て欲しいな〜。だからもう一回おまじない。入れたくな〜る入れたくな〜る、詰めたくな〜る詰めたくな〜る、もっと詰めたくな〜るさらに詰めたくな〜る、あれもこれも入れたくな〜る、何回も入れたく��〜る、とことん入れたくな〜るなんでも入れたくな〜る、それでも入れたくな〜る、めちゃ入れたくな〜る、本気で入れたくな〜るふと入れたくな〜る、突然入れたくな〜る詰めたくな〜る、まだまだ詰めたくな〜る、気の向くまま入れたくな〜る詰めたくな〜るところが入れたくな〜る、極端に入れたくな〜る、究極に入れたくな〜る、ビチビチに詰めたくな〜る。なにがなんでも入れたくな〜る、例えば背広が入れたくな〜る、ワイシャツが入れたくな〜る、セーターが入れたくな〜る、スカートが入れたくな〜る、カーディガンが入れたくな〜る、フリースだって入れたくな〜る、ワンピース入れたくな〜る、ネクタイも入れたくな〜る。コートも入れたくな〜る、ジャンパーもスキーウェアもダウンも入れたくな〜る、汗を吸った夏のものも入れたくな〜る、礼服も入れたくな〜る、衣替えですっきりしたくな〜る、プロのワザでふかふかにしたくな〜る、いっさいがっさい入れたくな〜る、すみからすみまでずずずい〜っと詰めたくな〜る、どうにもこうにも入れたくな〜る、徒然なるままに入れたくな〜る、春はやうやう入れたくな〜る、十二単・・・・は無いとしても振り袖が入れたくな〜る、留め袖だって入れたくな〜る、紋付も入れたくな〜る、となると袴も入れたくな〜る、着流しも入れたくな〜る、はっぴも入れたくな〜る、民族衣装も入れたくな〜る（？）。さてさて、とにかく使い方はあなた次第。詰めまくるも良し、１点だけでも良し。ネクタイから布団まで思うがままにいれてください。とにかくなんでも通常料金の30％ＯＦＦでクリーニング。不景気で世知辛い時代に明るい光を、という当店からのささやかながらのプレゼント。入れたくな〜る入れたくな〜る、詰めたくな〜る詰めたくな〜る、もっと詰めたくな〜るさらに詰めたくな〜る、あれもこれも入れたくな〜る、何回も入れたくな〜る、とことん入れたくな〜るなんでも入れたくな〜る、それでも入れたくな〜る、めちゃ入れたくな〜る、入れたくな〜る、本気で入れたくな〜る、入れたくな〜る、詰めたくな〜る・・・・・・。さぁ期間が終わらないうちにいっぱい得しちゃいましょう〜！」なお、上記した文章の例においては、業務情報表示領域５に表示される文言と相互に関連して「３０％ＯＦＦ」の文言を用いたが、この文言は、業務情報表示領域５の文言に応じて変更するものである。
【００２２】
　このように、背景領域７に表示する文字の羅列としての意味を持たせた文言を含む文章では、ワイシャツ、セーター、スカートと言った具体的な被洗濯物の名称を挙げながら、この被洗濯物収集袋１００内にそれらの被洗濯物を収集する、したがってそれらの洗濯を依頼するように促す内容としている。つまり、この被洗濯物収集袋１００は、製造された商品を包装するものではなく、生産者ではない消費者である利用者が使用していた物品である被洗濯物を収容するものであるので、背景領域７の表示は収容されているものの表示あるいは宣伝もしくは広告とは異なる内容である。
【００２３】
　しかも、この背景領域７に表示される文字は、他の領域のものより小さいために、外面３全体を見た場合には模様のように見えるので、近づいて見た場合の実用的であるばかりでなく意匠的な効果をも上げることができるものである。したがって、このように背景領域７に表示される、被洗濯物を思い起こさせる文章を利用者が読むことにより、利用者が洗濯を依頼する被洗濯物を思いだし、一度に発注する量を増すことで、洗濯業者の受注量を増加させることができる。
【００２４】
　しかも、外面３には業者情報表示領域４に洗濯業者の名称や電話番号などが表示してあるので、被洗濯物が入った被洗濯物収集袋１００に気付けば、迅速に被洗濯物の洗濯を洗濯業者に依頼することができる。
【００２５】
　なお、本考案は、上記の実施の形態に限定されるものではない。
【００２６】
　上記実施の形態においては、表裏二面ある外面のうち、一方の面に業者情報表示領域４、業務情報表示領域５、装飾表示領域６及び背景表示領域７を有するものを説明したが、表裏の両方の外面に前記の各領域を設けるものであってよい。
【００２７】
　例えば、図２に示すように、装飾領域を有さず、業務情報表示領域５を外面３のほぼ中央に配置し、その周囲を背景領域７とするものであってもよい。あるいは、図３に示すように、装飾領域６と業務情報表示領域５とを外面３の上下部分に配置し、外面３の中央部分においてつながっている形状の背景領域７とするものであってもよい。
【００２８】
　その他、各部の具体的構成についても上記実施形態に限られるものではなく、本考案の趣旨を逸脱しない範囲で種々変形が可能である。
【図面の簡単な説明】
【００２９】
【図１】本考案の実施の形態を示す正面図。
【図２】同実施の形態の変形例を示す正面図。
【図３】同実施の形態の他の変形例を示す正面図。
【符号の説明】
【００３０】
　３…外面
　４…業者情報表示領域
　５…業務情報表示領域
　７…背景領域
　１００…被洗濯物収集袋
【図１】
0003099223.tif 000003
【図２】
0003099223.tif 000004
【図３】
0003099223.tif 000005